(57)【要約】【課題】光ドロップケーブルの十分な長さの余長を収納することが可能な光ケーブル接続用クロージャを提供する。【解決手段】光ケーブル２１と光ドロップケーブル４１とを接続する接続部３４を収容するクロージャ本体１１と、クロージャ本体１１に対して開閉可能に設けられた蓋体１１とを備えた光ケーブル接続用クロージャ１０であって、蓋体１２には、光ドロップケーブル４１の余長部４１ａが収納可能な余長収納部５２が設けられている。【選択図】図１
2010072218.tif 000002
【特許請求の範囲】
【請求項１】
幹線系光ケーブルと光ドロップケーブルとを接続する接続部を収容する本体と、前記本体に対して開閉可能に設けられた蓋体とを備えた光ケーブル接続用クロージャであって、
前記蓋体には、前記光ドロップケーブルの余長部が収納可能な余長収納部が設けられていることを特徴とする光ケーブル接続用クロージャ。
【発明の詳細な説明】
【技術分野】
【０００１】
本発明は、幹線系光ケーブルと光ドロップケーブルとを接続する光ケーブル接続用クロージャに関する。
【背景技術】
【０００２】
近年、光ケーブルを用いたネットワークとして、加入者宅まで光ファイバを直接引き込むＦＴＴＨ（Ｆｉｂｅｒ  Ｔｏ  Ｔｈｅ  Ｈｏｍｅ）という形態が採用されている。このＦＴＴＨでは、通信事業者のネットワークとして加入者宅近傍に配線された数心〜数十心程度の光ケーブルから、クロージャによって、例えば、１〜２心程度の必要本数の光ドロップケーブルに分岐し、ネットワークの加入者宅へ引き込む。
【０００３】
このようなＦＴＴＨに用いられるクロージャとしては、幹線用光ケーブル及び分岐用光ケーブルの端部から引き出された心線同士を融着接続し、接続部と心線の余長を余長収納部に収納するものや、箱体の中央部分に設けられて幹線用光ケーブル及び分岐用光ケーブルの端部から引き出された光ファイバの心線同士を接続する複数のコネクタを保持するコネクタ保持部と、コネクタ保持部の両側部における表裏にそれぞれ配設されて、光ファイバの心線の余長部分を巻回した状態にて収納する余長収納部とを有するものが知られている（例えば、特許文献１参照）。
【０００４】
また、単心線から分岐した光分波路の単心毎にコネクタと心線余長とを個別に一括収納できるドロップトレイを重合させたトレイが内部のホルダに挿脱自在に嵌装されているクロージャも知られている（例えば、特許文献２参照）。
【０００５】
【特許文献１】特開平８−２２７０１８号公報
【特許文献２】特開２００２−２２１６２３号公報
【発明の開示】
【発明が解決しようとする課題】
【０００６】
ところで、近年では、作業のスキルレス化と接続変更の容易化のため、光ドロップケーブルの接続を行うのに融着接続でなくコネクタ接続が採用されることがある。更にこの場合、光コネクタは光ドロップケーブルに現地で直接取り付けられるため、光ドロップケーブルには、光コネクタを取り付ける端末処理の失敗を想定した余長を設ける必要がある。
【０００７】
しかしながら、上記のクロージャには、トレイ上などにある程度の余長部を収納することができるが、光ドロップケーブルの場合、ケーブル断面積も大きく、剛性も高いため、小さな曲率半径に巻回して収納することは難しく、十分な失敗回数に対応できる長さの失敗余長まで収納するスペースがないのが現状である。
【０００８】
本発明の目的は、光ドロップケーブルの十分な長さの余長を収納することが可能な光ケーブル接続用クロージャを提供することにある。
【課題を解決するための手段】
【０００９】
上記課題を解決することのできる本発明の光ケーブル接続用クロージャは、幹線系光ケーブルと光ドロップケーブルとを接続する接続部を収容する本体と、前記本体に対して開閉可能に設けられた蓋体とを備えた光ケーブル接続用クロージャであって、
前記蓋体には、前記光ドロップケーブルの余長部が収納可能な余長収納部が設けられていることを特徴とする。
【発明の効果】
【００１０】
本発明の光ケーブル接続用クロージャによれば、本体に対して開閉可能な蓋体に、光ドロップケーブルの余長部が収納可能な余長収納部が設けられているので、端末処理を施して接続部へ接続した光ドロップケーブルの余長部を、余長収納部へ容易に収納することができる。これにより、端末処理の失敗を想定して十分な余長を確保して光ドロップケーブルの端末処理を行ったとしても、その余長を確実に収納することができる。これにより、収納スペースが小さいことから十分に余長が確保できず、端末処理の失敗により光ドロップケーブルの長さが不足して接続部への接続が困難になるような不具合を解消することができる。
【発明を実施するための最良の形態】
【００１１】
以下、本発明に係る光ケーブル接続用クロージャの実施形態の例について、図面を参照しつつ説明する。
【００１２】
図１は本発明の光ケーブル接続用クロージャの構造を示す蓋体を開いた状態のクロージャの平面図、図２はクロージャ本体内に設けられる支持板の正面図、図３はクロージャ本体内に設けられる支持板の側面図、図４は支持板に設けられた接続部の動きを示す支持板の側面図である。
【００１３】
図１に示すように、本発明の光ケーブル接続用クロージャ１０は、クロージャ本体１１と、蓋体１２とを有している。
これらクロージャ本体１１と蓋体１２は、硬質樹脂により形成されたもので、ヒンジ１３によって底部が回動可能に連結されている。これにより、ヒンジ１３により蓋体１２を回動させることにより、クロージャ本体１１内が開閉される。
【００１４】
また、クロージャ本体１１及び蓋体１２には、その上部に、互いに係合する係合部１４ａ，１４ｂからなるロック機構１４が設けられている。蓋体１２をクロージャ本体１１側へ回動させてクロージャ本体１１を閉じた状態で、係合部１４ａ，１４ｂ同士を係合させてロックすることにより、クロージャ本体１１が蓋体１２によって閉鎖された状態に維持される。
【００１５】
クロージャ本体１１には、上部近傍に支持線１５が通されている。また、クロージャ本体１１は、両端近傍における上部に固定金具１６を備えており、この固定金具１６を支持線１５に固定することにより、クロージャ本体１１が支持線１５に固定され、架空に支持される。
【００１６】
また、クロージャ本体１１には、上部近傍における支持線１５の下方部分に、幹線系の光ケーブル２１が引き込まれており、この光ケーブル２１は、固定金具１６の下方に設けられたケーブル支持部２２に支持されている。
【００１７】
クロージャ本体１１内には、支持板３１が着脱可能に設けられている。この支持板３１は、一端側にスプリッター３２を備え、また、中央部には、一列に配列された複数のアダプタ３３を有する接続部３４が設けられている。
スプリッター３２には、クロージャ本体１１内に引き込まれた光ケーブル２１が接続されて複数に分岐され、それぞれの分岐線（図示略）が接続部３４のアダプタ３３へ導かれている。
【００１８】
支持板３１に設けられた接続部３４を構成するアダプタ３３は、図２及び図３に示すように、一端側が接続口３３ａとされており、支持板３１に形成された軸部３５を中心として回動可能に連結されて支持されている。これにより、この接続部３４は、支持板３１の面方向に沿う状態から、図４に示すように、接続口３３ａが支持板３１から離間する斜め方向へ向くように、約３０〜４５°程度の角度で傾斜した状態に回動可能とされている。
【００１９】
この接続部３４のアダプタ３３の接続口３３ａに、光ドロップケーブル４１に取り付けた光コネクタ４２をアダプタ３３の接続口３３ａに接続することにより、光ケーブル２１から分岐された分岐線と光ドロップケーブル４１とが光学的に接続される。
また、支持板３１には、光ドロップケーブル４１が引き回される配線引き回し部４３が設けられている。
【００２０】
蓋体１２には、その内面における３箇所に係止爪５１が形成されており、この係止爪５１と蓋体１２の内面との間に、光ドロップケーブル４１が係止可能に構成されている。これにより、光ドロップケーブル４１を環状に巻回した余長部４１ａを係止爪５１に係止させることにより、この光ドロップケーブル４１の余長部４１ａが蓋体１２の内面に保持される。つまり、この蓋体１２には、その内面に、光ドロップケーブル４１の余長部４１ａを収納可能な余長収納部５２が設けられている。
【００２１】
なお、クロージャ本体１１における支持板３１の両側部には、ケーブル保持溝５３を有するケーブル保持部材５４が設けられており、このケーブル保持部材５４のケーブル保持溝５３には、光ドロップケーブル４１が係止可能とされている。
【００２２】
また、クロージャ本体１１の両端部には、ゴム等から形成された防水部材５５が設けられている。これら防水部材５５には、複数の挿通孔（図示略）が形成されており、支持線１５、光ケーブル２１及び光ドロップケーブル４１が挿通されている。そして、クロージャ本体１１に対して蓋体１２を閉じると、防水部材５５が圧縮され、これにより、支持線１５、光ケーブル２１及び光ドロップケーブル４１が通された挿通孔がシールされるとともに、クロージャ本体１１と蓋体１２とが両端部でシールされる。
【００２３】
上記構造のクロージャ１０において、ネットワークの加入者宅へ光ドロップケーブル４１を引き込む場合、作業者は、まず、ロック機構１４によるロックを解除させて蓋体１２を回動させ、クロージャ本体１１を開く。
【００２４】
クロージャ本体１１を開いたら、アダプタ３３に、光ドロップケーブル４１に現地で取り付けた光コネクタ４２を差し込む。このとき、光ドロップケーブル４１への光コネクタ４２の取り付けに不具合があり、再度取り付ける場合は、取り付けに失敗した光ドロップケーブル４１の端部をある程度切断することとなる。したがって、作業者は光コネクタ４２の取り付けの失敗を想定し、十分な余長を確保して光コネクタ４２を取り付ける。
【００２５】
光コネクタ４２を光ドロップケーブル４１に取り付けたら、クロージャ本体１１の接続部３４のアダプタ３３に、光ドロップケーブル４１に取り付けた光コネクタ４２を接続する。
【００２６】
さらに、光ドロップケーブル４１の余長部４１ａを巻回し、係止爪５１によって蓋体１２の内面の余長収納部５２に保持させ、その後、蓋体１２を回動させてクロージャ本体１１を閉じてロック機構１４によってロックする。
【００２７】
以上説明したように、上記実施形態の光ケーブル接続用クロージャによれば、クロージャ本体１１に対して開閉可能な蓋体１２に、光ドロップケーブル４１の余長部４１ａが収納可能な余長収納部５２が設けられているので、光コネクタ４２を取り付ける端末処理をして接続部３４のアダプタ３３へ接続した光ドロップケーブル４１の余長部４１ａを余長収納部５２へ容易に収納することができる。これにより、光コネクタ４２を取り付ける端末処理の失敗を想定して十分な余長を確保して光ドロップケーブル４１の端末処理を行ったとしても、その余長を確実に収納することができる。
【００２８】
これにより、収納スペースが小さいことから十分に余長が確保できず、光コネクタ４２を取り付ける端末処理の失敗により光ドロップケーブル４１の長さが不足して接続部３４のアダプタ３３への接続が困難になるような不具合を解消することができる。
【００２９】
また、係止爪５１によって係止されて余長収納部５２に収納された余長部４１ａは、係止爪５１と蓋体１２の内面との間から容易に抜き取って取り出すことができ、これにより、光ドロップケーブル４１の付け替えの際にも、接続されている他の光ドロップケーブル４１に対して伝送損失を増大させるなどの障害なく、取り替える光ドロップケーブル４１の余長部４１ａを取り出すことができる。
【００３０】
また、接続部３４が、支持板３１の面方向に沿う状態から、接続口３３ａが支持板３１から離間する斜め方向へ向くように傾斜した状態に回動可能とされている。そのため、接続部３４のアダプタ３３へ光コネクタ４２を挿抜する際に、接続口３３ａが支持板３１から離間する方向へ向くように傾斜させることにより、省スペース化のためにアダプタ３３が狭いピッチにて配列されていても、各アダプタ３３への光コネクタ４２の挿抜作業の容易化を図ることができる。特に、他の構成部材が邪魔となって挿抜が困難となる両側部に位置するアダプタ３３に対しても、無理に挿抜してアダプタ３３や光コネクタ４２を損傷させるようなことがない。また、専用の工具を用いることなく光コネクタ４２の挿抜を容易かつ安全に行うことができ、作業性の向上を図ることができる。
【図面の簡単な説明】
【００３１】
【図１】本発明の光ケーブル接続用クロージャの構造の一例を示す図であり、蓋体を開いた状態のクロージャの平面図である。
【図２】クロージャ本体内に設けられる支持板の正面図である。
【図３】クロージャ本体内に設けられる支持板の側面図である。
【図４】支持板に設けられた接続部の動きを示す支持板の側面図である。
【符号の説明】
【００３２】
１０：光ケーブル接続用クロージャ、１１：クロージャ本体（本体）、１２：蓋体、２１：光ケーブル（幹線系光ケーブル）、３４：接続部、４１：光ドロップケーブル、４１ａ：余長部、５２：余長収納部
【図１】
2010072218.tif 000003
【図２】
2010072218.tif 000004
【図３】
2010072218.tif 000005
【図４】
2010072218.tif 000006